(57)【要約】【課題】検索依頼の増加と環境貢献とを実現することができる検索端末を提供する。【解決手段】ウェブページの検索クエリを受付けて、該検索クエリを検索サーバに送信する検索クエリ受付手段と、所定の時間に受付けた前記検索クエリの回数をカウントする検索クエリカウント手段と、前記所定の時間と、検索端末の消費電力と、単位電力量あたりの二酸化炭素排出量と、二酸化炭素の単位排出量あたりの排出権費用とを乗じて得た金額をオフセット金額とするオフセット金額決定手段と、前記検索クエリの回数が所定の閾値以上の場合に、前記オフセット金額を表示するオフセット金額表示手段と、前記オフセット金額をカーボンオフセット献金サーバに送信するオフセット金額送信手段と、を備えることを特徴とする検索端末。【選択図】図７
2010134631.tif 000002
【特許請求の範囲】
【請求項１】
ウェブページを検索する検索サーバ及び献金情報を管理するカーボンオフセット献金サーバと通信可能な検索端末であって、
ウェブページの検索クエリを受付けて、該検索クエリを前記検索サーバに送信する検索クエリ受付手段と、
受付けた前記検索クエリの回数をカウントする検索クエリカウント手段と、
予め設定された前記検索端末の消費電力と、単位電力量あたりの二酸化炭素排出量と、二酸化炭素の単位排出量あたりの排出権費用とを乗じて得た金額をオフセット金額とするオフセット金額決定手段と、
前記オフセット金額を前記検索端末に表示するオフセット金額表示手段と、
前記オフセット金額を前記カーボンオフセット献金サーバに送信するオフセット金額送信手段と、
を備えることを特徴とする検索端末。
【請求項２】
請求項１に記載の検索端末において、さらに、
前記検索端末の消費電力と、単位電力量あたりの二酸化炭素排出量とを乗じて得た量を削減された二酸化炭素量とする二酸化炭素量算出手段と、
前記削減された二酸化炭素量を表示する二酸化炭素量表示手段と、
前記削減された二酸化炭素量を前記カーボンオフセット献金サーバに送信する二酸化炭素量送信手段と、
を備えることを特徴とする検索端末。
【請求項３】
請求項１又は請求項２に記載の検索端末において、さらに、
所定の期間における二以上の検索端末の前記オフセット金額の総和を前記カーボンオフセット献金サーバから受信するオフセット金額総和受信手段と、
前記オフセット金額の総和を表示するオフセット金額総和表示手段と、
を備えることを特徴とする検索端末。
【請求項４】
請求項１乃至３のいずれかに記載の検索端末において、さらに、
所定の期間における二以上の検索端末の前記削減された二酸化炭素量の総和を前記カーボンオフセット献金サーバから受信する二酸化炭素量総和受信手段と、
前記削減された二酸化炭素量の総和を表示する二酸化炭素量総和表示手段と、
を備えることを特徴とする検索端末。
【請求項５】
請求項１乃至４のいずれかに記載の検索端末において、さらに、
前記検索クエリの回数が前記所定の閾値未満である場合に、前記所定の閾値と前記検索クエリの回数との差分を通知する通知手段と、
を備えることを特徴とする検索端末。
【請求項６】
前記検索クエリ受付手段、前記オフセット金額表示手段、二酸化炭素量表示手段、オフセット金額総和表示手段又は二酸化炭素量総和表示手段は、ウェブブラウザのツールバーに組み込まれていることを特徴とする請求項１乃至５のいずれかに記載の検索端末。
【請求項７】
ウェブページを検索する検索サーバ及び献金情報を管理するカーボンオフセット献金サーバと通信可能な検索端末に、
ウェブページの検索クエリを受付けて、該検索クエリを前記検索サーバに送信する検索クエリ受付手段ステップと、
受付けた前記検索クエリの回数をカウントする検索クエリカウント手段ステップと、
予め設定された前記検索端末の消費電力と、単位電力量あたりの二酸化炭素排出量と、二酸化炭素の単位排出量あたりの排出権費用とを乗じて得た金額をオフセット金額とするオフセット金額決定ステップと、
前記オフセット金額を表示するオフセット金額表示ステップと、
前記オフセット金額を前記カーボンオフセット献金サーバに送信するオフセット金額送信ステップと、
を少なくとも実行させることを特徴とする検索プログラム。
【請求項８】
ウェブページを検索する検索サーバと通信可能なオフセット献金システムであって、
ウェブページの検索クエリを受付けて、該検索クエリを前記検索サーバに送信する検索クエリ受付手段と、
受付けた前記検索クエリの回数をカウントする検索クエリカウント手段と、
予め設定された前記オフセット献金システムの消費電力と、単位電力量あたりの二酸化炭素排出量と、二酸化炭素の単位排出量あたりの排出権費用とを乗じて得た金額をオフセット金額とするオフセット金額決定手段と、
前記オフセット金額を表示するオフセット金額表示手段と、
前記オフセット金額を記憶する献金情報記憶手段と、
前記献金情報記憶手段に記憶した前記オフセット金額に相当する金銭を献金する指示を行う献金指示手段と、
を備えることを特徴とするオフセット献金システム。
【請求項９】
請求項８に記載のオフセット献金システムにおいて、さらに、
前記検索クエリに対応する検索結果及び広告を前記検索サーバから受信して表示する検索結果表示手段を備え、
前記献金指示手段は、前記献金情報記憶手段に記憶した前記オフセット金額に相当する金銭を前記広告の広告主から得た料金から献金する指示を行うことを特徴とするオフセット献金システム。
【発明の詳細な説明】
【技術分野】
【０００１】
本発明は、ウェブページの検索要求を行う検索端末及びプログラム並びに二酸化炭素の排出を相殺するために所定の基金等に献金するオフセット献金システムに関する。
【背景技術】
【０００２】
従来、ユーザは、Ｇｏｏｇｌｅ（登録商標）などの検索サイトを利用して、所望するウェブページを検索することができた。
【０００３】
【非特許文献１】［ｏｎｌｉｎｅ］、Ｇｏｏｇｌｅ、［２００８年１１月２５日検索］、インターネット＜ＵＲＬ：ｈｔｔｐ：／／ｗｗｗ．ｇｏｏｇｌｅ．ｃｏ．ｊｐ／＞
【発明の開示】
【発明が解決しようとする課題】
【０００４】
しかしながら、上記従来例の検索サイトでは、ユーザの検索意欲を向上させることはできなかった。検索しようとするインセンティブをユーザに与えるものではないからである。
【０００５】
本発明は、このような事情を考慮して提案されるものであり、所定のルールに基づいて検索に応じたカーボンオフセットを行うことにより、検索依頼の増加と環境貢献とを実現することができる検索端末及びプログラム並びにオフセット献金システムを提供することを目的とする。
【０００６】
なお、カーボンオフセットとは、地球温暖化を防止するため、人間の経済活動を通して排出された二酸化炭素を、水力発電、風力発電などのクリーンエネルギー事業等によって間接的に吸収しようとする活動をいう。具体的には、排出した二酸化炭素に応じた額の金銭をユーザが所定の基金等に寄付し、寄付された金銭をこの基金等がクリーンエネルギー事業等に献金する。
【課題を解決するための手段】
【０００７】
上記目的を達成するために、本発明者は、所定のルールに従って検索に応じてカーボンオフセットを行う仕組みを見出し、本発明を想到するに至った。
【０００８】
本発明に係る検索端末は、所定の時間に受付けた検索クエリの回数に応じて、カーボンオフセットを行うことにより、検索依頼の増加と環境貢献とを実現するものである。
【０００９】
（１）ウェブページを検索する検索サーバ及び献金情報を管理するカーボンオフセット献金サーバと通信可能な検索端末であって、ウェブページの検索クエリを受付けて、該検索クエリを前記検索サーバに送信する検索クエリ受付手段と、受付けた前記検索クエリの回数をカウントする検索クエリカウント手段と、予め設定された前記検索端末の消費電力と、単位電力量あたりの二酸化炭素排出量と、二酸化炭素の単位排出量あたりの排出権費用とを乗じて得た金額をオフセット金額とするオフセット金額決定手段と、前記オフセット金額を前記検索端末に表示するオフセット金額表示手段と、前記オフセット金額を前記カーボンオフセット献金サーバに送信するオフセット金額送信手段と、を備えることを特徴とする検索端末。
【００１０】
（１）の発明によれば、所定の時間に受付けた検索クエリの回数に応じて、カーボンオフセットを行うことにより、検索しようとするインセンティブをユーザに与えるので、検索依頼の増加と環境貢献とを実現することができる。
【００１１】
（２）（１）に記載の検索端末において、さらに、前記検索端末の消費電力と、単位電力量あたりの二酸化炭素排出量とを乗じて得た量を削減された二酸化炭素量とする二酸化炭素量算出手段と、前記削減された二酸化炭素量を表示する二酸化炭素量表示手段と、前記削減された二酸化炭素量を前記カーボンオフセット献金サーバに送信する二酸化炭素量送信手段と、を備えることを特徴とする検索端末。
【００１２】
（２）の発明によれば、カーボンオフセットを行った二酸化炭素量を表示することにより、削減された二酸化炭素量を随時確認することができるので、検索しようとするインセンティブを視覚的にユーザに与えることができる。
【００１３】
（３）（１）又は（２）に記載の検索端末において、さらに、所定の期間における二以上の検索端末の前記オフセット金額の総和を前記カーボンオフセット献金サーバから受信するオフセット金額総和受信手段と、前記オフセット金額の総和を表示するオフセット金額総和表示手段と、を備えることを特徴とする検索端末。
【００１４】
（３）の発明によれば、所定の期間における二以上の検索端末のオフセット金額の総和を表示することにより、オフセット金額の総和を随時確認することができるので、オフセット金額の総和の情報を他のユーザと共有することができる。
【００１５】
（４）（１）乃至（３）のいずれかに記載の検索端末において、さらに、所定の期間における二以上の検索端末の前記削減された二酸化炭素量の総和を前記カーボンオフセット献金サーバから受信する二酸化炭素量総和受信手段と、前記削減された二酸化炭素量の総和を表示する二酸化炭素量総和表示手段と、を備えることを特徴とする検索端末。
【００１６】
（４）の発明によれば、所定の期間における二以上の検索端末の削減された二酸化炭素量の総和を表示することにより、削減された二酸化炭素量の総和を随時確認することができるので、削減された二酸化炭素量の総和の情報を他のユーザと共有することができる。
【００１７】
（５）（１）乃至（４）のいずれかに記載の検索端末において、さらに、前記検索クエリの回数が前記所定の閾値未満である場合に、前記所定の閾値と前記検索クエリの回数との差分を通知する通知手段と、を備えることを特徴とする検索端末。
【００１８】
（５）の発明によれば、所定の閾値と検索クエリの回数との差分を通知することにより、あと何回検索すればカーボンオフセットを行うことができるか認識することができるので、検索しようとするインセンティブをより一層与えることができる。
【００１９】
（６）前記検索クエリ受付手段、前記オフセット金額表示手段、二酸化炭素量表示手段、オフセット金額総和表示手段又は二酸化炭素量総和表示手段は、ウェブブラウザのツールバーに組み込まれていることを特徴とする（１）乃至（５）のいずれかに記載の検索端末。
【００２０】
（６）の発明によれば、入出力インターフェースをウェブブラウザのツールバーに組み込むことにより、操作性が向上するので、検索を容易に行うことができる。
【００２１】
（７）ウェブページを検索する検索サーバ及び献金情報を管理するカーボンオフセット献金サーバと通信可能な検索端末に、ウェブページの検索クエリを受付けて、該検索クエリを前記検索サーバに送信する検索クエリ受付手段ステップと、受付けた前記検索クエリの回数をカウントする検索クエリカウント手段ステップと、予め設定された前記検索端末の消費電力と、単位電力量あたりの二酸化炭素排出量と、二酸化炭素の単位排出量あたりの排出権費用とを乗じて得た金額をオフセット金額とするオフセット金額決定ステップと、前記オフセット金額を表示するオフセット金額表示ステップと、前記オフセット金額を前記カーボンオフセット献金サーバに送信するオフセット金額送信ステップと、を少なくとも実行させることを特徴とする検索プログラム。
【００２２】
（８）ウェブページを検索する検索サーバと通信可能なオフセット献金システムであって、ウェブページの検索クエリを受付けて、該検索クエリを前記検索サーバに送信する検索クエリ受付手段と、受付けた前記検索クエリの回数をカウントする検索クエリカウント手段と、予め設定された前記オフセット献金システムの消費電力と、単位電力量あたりの二酸化炭素排出量と、二酸化炭素の単位排出量あたりの排出権費用とを乗じて得た金額をオフセット金額とするオフセット金額決定手段と、前記オフセット金額を表示するオフセット金額表示手段と、前記オフセット金額を記憶する献金情報記憶手段と、前記献金情報記憶手段に記憶した前記オフセット金額に相当する金銭を献金する指示を行う献金指示手段と、を備えることを特徴とするオフセット献金システム。
【００２３】
（９）（８）に記載のオフセット献金システムにおいて、さらに、
前記検索クエリに対応する検索結果及び広告を前記検索サーバから受信して表示する検索結果表示手段を備え、
前記献金指示手段は、前記献金情報記憶手段に記憶した前記オフセット金額に相当する金銭を前記広告の広告主から得た料金から献金する指示を行うことを特徴とするオフセット献金システム。
【００２４】
（９）の発明によれば、検索結果とともに表示される広告の広告主から得た料金から献金する指示を行うことにより、受益者負担となるので、費用負担の公平性を担保することができる。
【発明の効果】
【００２５】
この発明によれば、所定の時間に受付けた検索クエリの回数に応じて、カーボンオフセットを行うことにより、検索しようとするインセンティブをユーザに与えるので、検索依頼の増加と環境貢献とを実現することができる。
【発明を実施するための最良の形態】
【００２６】
以下、本発明を実施するための最良の形態について図を参照しながら説明する。なお、これはあくまでも一例であって、本発明の技術的範囲はこれに限られるものではない。
［検索端末と関連要素の全体構成］
【００２７】
図１は、本実施形態に係る検索端末１と関連要素の全体構成を示す図である。
【００２８】
本実施形態に係る検索端末１、カーボンオフセット献金サーバ２及び検索サーバ３は、インターネット等の通信ネットワークＮに接続されている。なお、通信ネットワークＮとの接続は有線であると無線であるとを問わない。
【００２９】
検索端末１は、ウェブページの検索クエリを受付けて、受付けた検索クエリを検索サーバ３に送信する。また、検索端末１は、所定のルールに従って決定されたオフセット金額等をカーボンオフセット献金サーバ２に送信する。
【００３０】
カーボンオフセット献金サーバ２は、検索端末１から受信したオフセット金額等を記憶する。
【００３１】
検索サーバ３は、検索エンジンによりウェブページを検索する。検索サーバ３は、検索端末１から検索クエリを受信する検索クエリ受信手段３１と、検索クエリ受信手段３１が受信した検索クエリに従ってウェブページの検索を実行し、その検索結果を作成する検索実行手段３２と、検索クエリ受信手段３１が受信した検索クエリに含まれるキーワードに関連付けられた広告を選択する広告選択手段３３と、広告選択手段３３が選択した広告と検索実行手段３２が作成した検索結果とを、検索クエリを送信した検索端末１に送信する検索結果送信手段３４と、を備える。なお、検索サーバ３は、情報処理装置であって、一般的なコンピュータが該当する。
［検索端末の機能構成］
【００３２】
図２は、本実施形態に係る検索端末１の機能構成の概要を示す図である。本実施形態に係る検索端末１は、検索クエリ受付手段１１と、検索クエリカウント手段１２と、オフセット金額決定手段１３と、オフセット金額表示手段１４と、オフセット金額送信手段１５と、二酸化炭素量算出手段１６、二酸化炭素量表示手段１７と、二酸化炭素量送信手段１８と、オフセット金額総和受信手段１９と、オフセット金額総和表示手段２０と、二酸化炭素量総和受信手段２１と、二酸化炭素量総和表示手段２２と、通知手段２３と、検索結果表示手段２４と、を備える。ここで、各手段の入出力インターフェースは、検索端末１にインストールされたウェブブラウザのアドオンプログラムとしての検索ツールバーに組み込まれている。
【００３３】
検索クエリ受付手段１１は、ウェブページの検索クエリを受付けて、受付けた検索クエリを検索サーバ３に送信する。
【００３４】
検索クエリカウント手段１２は、所定の時間に受付けた検索クエリの回数をカウントする。
【００３５】
オフセット金額決定手段１３は、所定の時間と、検索端末１の消費電力と、単位電力量あたりの二酸化炭素排出量と、二酸化炭素の単位排出量あたりの排出権費用とを乗じて得た金額をオフセット金額として決定する。
【００３６】
オフセット金額表示手段１４は、検索クエリカウント手段１２がカウントした検索クエリの回数が所定の閾値以上の場合に、オフセット金額決定手段１３が決定したオフセット金額を表示する。
【００３７】
オフセット金額送信手段１５は、オフセット金額決定手段１３が決定したオフセット金額をカーボンオフセット献金サーバ２に送信する。
【００３８】
二酸化炭素量算出手段１６は、所定の時間と、検索端末１の消費電力と、単位電力量あたりの二酸化炭素排出量とを乗じて得た量を削減された二酸化炭素量として算出する。
【００３９】
二酸化炭素量表示手段１７は、検索クエリカウント手段１２がカウントした検索クエリの回数が所定の閾値以上の場合に、二酸化炭素量算出手段１６が算出した削減された二酸化炭素量を表示する。
【００４０】
二酸化炭素量送信手段１８は、二酸化炭素量算出手段１６が算出した削減された二酸化炭素量をカーボンオフセット献金サーバ２に送信する。
【００４１】
オフセット金額総和受信手段１９は、所定の期間における二以上の検索端末１のオフセット金額の総和をカーボンオフセット献金サーバ２から受信する。
【００４２】
オフセット金額総和表示手段２０は、オフセット金額総和受信手段１９が受信したオフセット金額の総和を表示する。
【００４３】
二酸化炭素量総和受信手段２１は、所定の期間における二以上の検索端末１の削減された二酸化炭素量の総和をカーボンオフセット献金サーバ２から受信する。
【００４４】
二酸化炭素量総和表示手段２２は、二酸化炭素量総和受信手段２２が受信した削減された二酸化炭素量の総和を表示する。
【００４５】
通知手段２３は、検索クエリカウント手段１２がカウントした検索クエリの回数が所定の閾値未満である場合に、所定の閾値とこの検索クエリの回数との差分を通知する。
【００４６】
検索結果表示手段２４は、検索クエリ受付手段１１が送信した検索クエリに対応する検索結果等を検索サーバ３から受信して表示する。
［カーボンオフセット献金サーバの機能構成］
【００４７】
図３は、本実施形態に係るカーボンオフセット献金サーバ２の機能構成の概要を示す図である。本実施形態に係るカーボンオフセット献金サーバ２は、献金情報記憶手段２５と、献金指示手段２６と、を備える。
【００４８】
献金情報記憶手段２５は、検索端末１からオフセット金額等を受信して記憶する。ここで、料金管理データベース２５１及びオフセット料金管理データベース２５２は、献金情報記憶手段２５の一部を構成している。料金管理データベース２５１及びオフセット料金管理データベース２５２の詳細については後述する。
【００４９】
献金指示手段２６は、献金情報記憶手段２５に記憶されたオフセット金額を献金する指示を行う。
［料金管理データベースの構成］
【００５０】
図４は、料金管理データベース２５１の構成の概要を示す図である。料金管理データベース２５１は、予めユーザＩＤと、このユーザＩＤに対応するユーザから得た料金とを対応付けて記憶している。料金としては、例えば、検索結果に表示される広告で得た料金等が該当する。
［オフセット料金管理データベースの構成］
【００５１】
図５は、オフセット料金管理データベース２５２の構成の概要を示す図である。オフセット料金管理データベース２５２は、検索端末１にインストールされたウェブブラウザのアドオンプログラムとしての検索ツールバーを識別するシリアルナンバーと、この検索端末１から受信したオフセット金額の小計、削減された二酸化炭素量の小計及び当該レコードを追加した日時とをそれぞれ対応付けて記憶する。なお、シリアルナンバーの代わりに、検索ツールバーがインストールされた検索端末１のＩＰアドレス、ＭＡＣアドレス等を採用してもよい。
［検索端末のハードウェア構成図］
【００５２】
図６は、本実施形態に係る検索端末１のハードウェア構成を示す図である。
【００５３】
検索端末１は、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インターフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。尚、ハードディスク３７０、光ディスクドライブ３８０、並びに、半導体メモリ３９０はまとめて記憶装置４１０と呼ばれる。
【００５４】
制御部３００は、検索端末１を統括的に制御する部分であり、ハードディスク３７０（後述）に記憶された各種プログラムを適宜読み出して実行することにより、上述したハードウェアと協働し、本発明に係る各種機能を実現している。
【００５５】
通信Ｉ／Ｆ３３０は、検索端末１が、通信ネットワークＮ（図１）を介してカーボンオフセット献金サーバ２等（図１）と情報を送受信する場合のネットワーク・アダプタである。通信Ｉ／Ｆ３３０は、モデム、ケーブル・モデム及びイーサネット（登録商標）・アダプタを含んでよい。
【００５６】
ＢＩＯＳ３５０は、検索端末１の起動時にＣＰＵ３１０が実行するブートプログラムや、検索端末１がハードウェアに依存するプログラム等を記録する。
【００５７】
表示装置３５５は、データの入力を受け付ける画面を表示したり、結果を出力する画面を表示したりするものであり、ブラウン管表示装置（ＣＲＴ）、液晶表示装置（ＬＣＤ）等のディスプレイ装置を含む。
【００５８】
入力装置３５６は、データの入力を受付けるものであり、キーボード、マウス等を含む。
【００５９】
Ｉ／Ｏコントローラ３６０には、ハードディスク３７０、光ディスクドライブ３８０、及び半導体メモリ３９０等の記憶装置４１０を接続することができる。
【００６０】
ハードディスク３７０は、本ハードウェアを検索端末１として機能させるための各種プログラム、本発明の機能を実行するプログラムを記憶する。なお、検索端末１は、外部に別途設けたハードディスク（図示せず）を外部記憶装置として利用することもできる。
【００６１】
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラムまたはデータを読み取り、Ｉ／Ｏコントローラ３６０を介してメインメモリ３４０またはハードディスク３７０に提供することもできる。
【００６２】
なお、本発明でいうコンピュータとは、記憶装置、制御部等を備えた情報処理装置をいい、検索端末１は、記憶装置４１０、制御部３００等を備えた情報処理装置により構成され、この情報処理装置は、本発明のコンピュータの概念に含まれる。
【００６３】
この検索端末１では、制御部３００が主として検索クエリ受付手段１１、検索クエリカウント手段１２、オフセット金額決定手段１３、二酸化炭素量算出手段１６、通知手段２３に対応し、表示装置３５５が主としてオフセット金額表示手段１４、二酸化炭素量表示手段１７、オフセット金額総和表示手段２０、二酸化炭素量総和表示手段２２、検索結果表示手段２４に対応し、通信Ｉ／Ｆ３３０が主としてオフセット金額送信手段１５、二酸化炭素量送信手段１８、オフセット金額総和受信手段１９、二酸化炭素量総和受信手段２１に対応する。
［カーボンオフセット献金サーバのハードウェア構成］
【００６４】
カーボンオフセット献金サーバ２も、上述の検索端末１と同様なハードウェア構成を持つ。
［オフセット献金処理１］
【００６５】
図７は、本発明の実施形態に係るオフセット献金処理１のフローチャートを示している。
【００６６】
Ｓ１：検索クエリ受付手段１１は、ウェブブラウザの検索ツールバーの検索ボタンがマウスで押下された場合に、この検索ツールバーのテキストボックスにキーボードで入力されたキーワードを含む検索クエリを受付けて、この検索クエリを検索サーバ３に送信する。ここで、検索クエリ受付手段１１は、記憶装置に予め記憶された通信アドレス（ＵＲＬ等）に対応する検索サーバ３に検索クエリを送信する。また、検索クエリ受付手段１１は、検索クエリを受付けた時刻をＯＳ（Ｏｐｅｒａｔｉｎｇ  Ｓｙｓｔｅｍ）が提供するＡＰＩ（Ａｐｐｌｉｃａｔｉｏｎ  Ｐｒｏｇｒａｍ  Ｉｎｔｅｒｆａｃｅ）を通じて取得し、その時刻を記憶装置に記憶する。
【００６７】
Ｓ２：検索クエリカウント手段１２は、初期時刻「ｔ０」（ｔ０＝検索端末１が起動した時刻）から所定の時間「０．５ｈ」が経過するまでに、記憶装置に記憶された「検索クエリを受付けた時刻」の数をカウントする。ここで、検索端末１が起動した時刻はＡＰＩを通じて取得する。
【００６８】
Ｓ３：オフセット金額決定手段１３は、所定の時間「０．５ｈ」と、記憶装置に予め記憶（設定）された検索端末１の消費電力「０．１ｋｗ」と、記憶装置に予め記憶された単位電力量あたりの二酸化炭素排出量「０．３３ｋｇ／ｋｗｈ」と、記憶装置に予め記憶された二酸化炭素の単位排出量あたりの排出権費用「３．７５円／ｋｇ」とを乗じて得た金額「０．０６円」をオフセット金額として決定する。
【００６９】
Ｓ４：オフセット金額表示手段１４は、検索クエリカウント手段１２がカウントした検索クエリの回数が、記憶装置に予め記憶された所定の閾値以上の場合に、オフセット金額決定手段１３が決定したオフセット金額「０．０６円」を検索ツールバーに表示する。ここで、オフセット金額表示手段１４は、オフセット金額を、ダイアログ又はポップアップウィンドウ等に表示するようにしてもよい。
【００７０】
Ｓ５：オフセット金額表示手段１４は、オフセット金額「０．０６円」と、時刻「ｔ１」（ｔ１＝ｔ０＋０．５）とを対応付けて記憶装置に記憶する。また、オフセット金額表示手段１４は、初期時刻「ｔ０」を時刻「ｔ１」に置きかえる。
【００７１】
Ｓ６：オフセット金額送信手段１５は、所定のタイミングで（例えば、毎月１日）、当該月に記憶装置に記憶されたオフセット金額の小計（例えば、「３円」）を計算する。そして、オフセット金額送信手段１５は、記憶装置に予め記憶された検索ツールバーのシリアルナンバー「００１」と、計算したオフセット金額の小計「３円」とをカーボンオフセット献金サーバ２に送信する。
【００７２】
Ｓ７：献金情報記憶手段２５は、検索端末１からシリアルナンバー「００１」とオフセット金額の小計「３円」とを受信する。そして、献金情報記憶手段２５は、受信したシリアルナンバー「００１」と、オフセット金額の小計「３円」及び当該レコードを追加した日時とをそれぞれ対応付けてオフセット料金管理データベース２５２に記憶する。
【００７３】
Ｓ８：献金指示手段２６は、所定のタイミングで（例えば、６月毎の１日）、当該期間にオフセット料金管理データベース２５２に記憶されたオフセット金額の小計の総和（例えば、「３００万円」）を計算する。そして、献金指示手段２６は、記憶装置に予め記憶された所定の基金に対応するユーザＩＤ「９９９」と、計算したオフセット金額の小計の総和「３００万円」に「−１」を乗じて得た金額「−３００万円」とを対応付けて料金管理データベース２５１に記憶する。続いて、献金指示手段２６は、所定の基金に計算したオフセット金額の小計の総和「３００万円」を送金する。
【００７４】
これによると、広告主等から得た料金を合算した値からオフセット金額に相当する金銭を献金することができる。
［二酸化炭素量の表示処理］
【００７５】
図８は、本発明の実施形態に係る二酸化炭素量の表示処理のフローチャートを示している。
【００７６】
Ｓ１１：検索クエリ受付手段１１は、ウェブブラウザの検索ツールバーの検索ボタンがマウスで押下された場合に、この検索ツールバーのテキストボックスにキーボードで入力されたキーワードを含む検索クエリを受付けて、この検索クエリを検索サーバ３に送信する。また、検索クエリ受付手段１１は、検索クエリを受付けた時刻を記憶装置に記憶する。
【００７７】
Ｓ１２：検索クエリカウント手段１２は、初期時刻「ｔ０」（ｔ０＝検索端末１が起動した時刻）から所定の時間「０．５ｈ」が経過するまでに、記憶装置に記憶された「検索クエリを受付けた時刻」の数をカウントする。
【００７８】
Ｓ１３：二酸化炭素量算出手段１６は、所定の時間「０．５ｈ」と、記憶装置に予め記憶された検索端末１の消費電力「０．１ｋｗ」と、記憶装置に予め記憶された単位電力量あたりの二酸化炭素排出量「０．３３ｋｇ／ｋｗｈ」とを乗じて得た量「０．０１６５ｋｇ」を削減された二酸化炭素量として算出する。
【００７９】
Ｓ１４：二酸化炭素量表示手段１７は、検索クエリカウント手段１２がカウントした検索クエリの回数が、記憶装置に予め記憶された所定の閾値以上の場合に、二酸化炭素量算出手段１６が算出した削減された二酸化炭素量「０．０１６５ｋｇ」を検索ツールバーに表示する。ここで、二酸化炭素量表示手段１７は、削減された二酸化炭素量を、ダイアログ又はポップアップウィンドウ等に表示するようにしてもよい。
【００８０】
Ｓ１５：二酸化炭素量表示手段１７は、削減された二酸化炭素量「０．０１６５ｋｇ」と、時刻「ｔ１」（ｔ１＝ｔ０＋０．５）とを対応付けて記憶装置に記憶する。また、二酸化炭素量表示手段１７は、初期時刻「ｔ０」を時刻「ｔ１」に置きかえる。
【００８１】
Ｓ１６：二酸化炭素量送信手段１８は、所定のタイミングで（例えば、毎月１日）、当該月に記憶装置に記憶された削減された二酸化炭素量の小計（例えば、「０．９ｋｇ」）を計算する。そして、二酸化炭素量送信手段１８は、記憶装置に予め記憶された検索ツールバーのシリアルナンバー「００１」と、計算した削減された二酸化炭素量の小計「０．９ｋｇ」とをカーボンオフセット献金サーバ２に送信する。
【００８２】
Ｓ１７：献金情報記憶手段２５は、検索端末１からシリアルナンバー「００１」と削減された二酸化炭素量の小計「０．９ｋｇ」とを受信する。そして、献金情報記憶手段２５は、受信したシリアルナンバー「００１」と、削減された二酸化炭素量の小計「０．９ｋｇ」及び当該レコードを追加した日時とをそれぞれ対応付けてオフセット料金管理データベース２５２に記憶する。
【００８３】
これによると、カーボンオフセットを行った二酸化炭素量を表示することにより、削減された二酸化炭素量を随時確認することができるので、検索しようとするインセンティブを視覚的にユーザに与えることができる。
［オフセット金額の総和の表示処理］
【００８４】
図９は、本発明の実施形態に係るオフセット金額の総和の表示処理のフローチャートを示している。
【００８５】
Ｓ２１：オフセット金額総和受信手段１９は、所定の期間（例えば、今月）におけるオフセット金額の小計の総和の取得要求をカーボンオフセット献金サーバ２に送信する。
【００８６】
Ｓ２２：献金情報記憶手段２５は、検索端末１から所定の期間「今月」におけるオフセット金額の小計の総和の取得要求を受信する。そして、献金情報記憶手段２５は、取得要求のあった期間「今月」にオフセット料金管理データベース２５２に記憶されたオフセット金額の小計の総和（例えば、「５０万円」）を計算する。そして、献金情報記憶手段２５は、計算したオフセット金額の小計の総和「５０万円」を、取得要求を送信した検索端末１に送信する。
【００８７】
Ｓ２３：オフセット金額総和受信手段１９は、所定の期間「今月」におけるオフセット金額の小計の総和「５０万円」をカーボンオフセット献金サーバ２から受信する。
【００８８】
Ｓ２４：オフセット金額総和表示手段２０は、オフセット金額総和受信手段１９が受信したオフセット金額の総和「５０万円」を検索ツールバーに表示する。
【００８９】
これによると、所定の期間における二以上の検索端末のオフセット金額の総和を表示することにより、オフセット金額の総和を随時確認することができるので、オフセット金額の総和の情報を他のユーザと共有することができる。
［削減された二酸化炭素量の総和の表示処理］
【００９０】
図１０は、本発明の実施形態に係る削減された二酸化炭素量の総和の表示処理のフローチャートを示している。
【００９１】
Ｓ３１：二酸化炭素量総和受信手段２１は、所定の期間（例えば、今月）における二酸化炭素量の小計の総和の取得要求をカーボンオフセット献金サーバ２に送信する。
【００９２】
Ｓ３２：献金情報記憶手段２５は、検索端末１から所定の期間「今月」における二酸化炭素量の小計の総和の取得要求を受信する。そして、献金情報記憶手段２５は、取得要求のあった期間「今月」にオフセット料金管理データベース２５２に記憶された二酸化炭素量の小計の総和（例えば、「９００ｋｇ」）を計算する。そして、献金情報記憶手段２５は、計算した二酸化炭素量の小計の総和「９００ｋｇ」を、取得要求を送信した検索端末１に送信する。
【００９３】
Ｓ３３：二酸化炭素量総和受信手段２１は、所定の期間「今月」における二酸化炭素量の小計の総和「９００ｋｇ」をカーボンオフセット献金サーバ２から受信する。
【００９４】
Ｓ３４：二酸化炭素量総和表示手段２２は、二酸化炭素量総和受信手段２１が受信した二酸化炭素量の総和「９００ｋｇ」を検索ツールバーに表示する。
【００９５】
これによると、所定の期間における二以上の検索端末の削減された二酸化炭素量の総和を表示することにより、削減された二酸化炭素量の総和を随時確認することができるので、削減された二酸化炭素量の総和の情報を他のユーザと共有することができる。
［通知処理］
【００９６】
図１１は、本発明の実施形態に係る通知処理における検索ツールバーを示している。
【００９７】
Ｓ４１：通知手段２３は、検索クエリカウント手段１２がカウントした検索クエリの回数が所定の閾値未満である場合に、所定の閾値とこの検索クエリの回数との差分を検索ツールバーに表示する。ここで、通知手段２３は、当該差分を、ダイアログ又はポップアップウィンドウ等に表示するようにしてもよい。
【００９８】
これによると、所定の閾値と検索クエリの回数との差分を通知することにより、あと何回検索すればカーボンオフセットを行うことができるか認識することができるので、検索しようとするインセンティブをより一層与えることができる。
［検索結果の表示処理］
【００９９】
Ｓ５１：検索結果表示手段２４は、検索クエリ受付手段１１が送信した検索クエリに含まれるキーワードに関連付けられた広告と、この検索クエリに対応する検索結果とを検索サーバ３から受信して表示する。
［オフセット献金処理２］
【０１００】
本発明の実施形態に係るオフセット献金処理２は、検索結果とともに表示される広告の広告主から得た料金からオフセット金額に相当する金銭を献金する。
【０１０１】
Ｓ６１：検索クエリ受付手段１１は、ウェブブラウザの検索ツールバーの検索ボタンがマウスで押下された場合に、この検索ツールバーのテキストボックスにキーボードで入力されたキーワードを含む検索クエリを受付けて、この検索クエリを検索サーバ３に送信する。ここで、検索クエリ受付手段１１は、記憶装置に予め記憶された通信アドレス（ＵＲＬ等）に対応する検索サーバ３に検索クエリを送信する。また、検索クエリ受付手段１１は、検索クエリを受付けた時刻を記憶装置に記憶する。
【０１０２】
Ｓ６２：検索クエリカウント手段１２は、初期時刻「ｔ０」（ｔ０＝検索端末１が起動した時刻）から所定の時間「０．５ｈ」が経過するまでに、記憶装置に記憶された「検索クエリを受付けた時刻」の数をカウントする。ここで、検索端末１が起動した時刻はＡＰＩを通じて取得する。
【０１０３】
Ｓ６３：オフセット金額決定手段１３は、所定の時間「０．５ｈ」と、記憶装置に予め記憶された検索端末１の消費電力「０．１ｋｗ」と、記憶装置に予め記憶された単位電力量あたりの二酸化炭素排出量「０．３３ｋｇ／ｋｗｈ」と、記憶装置に予め記憶された二酸化炭素の単位排出量あたりの排出権費用「３．７５円／ｋｇ」とを乗じて得た金額「０．０６円」をオフセット金額として決定する。
【０１０４】
Ｓ６４：オフセット金額表示手段１４は、検索クエリカウント手段１２がカウントした検索クエリの回数が、記憶装置に予め記憶された所定の閾値以上の場合に、オフセット金額決定手段１３が決定したオフセット金額「０．０６円」を検索ツールバーに表示する。ここで、オフセット金額表示手段１４は、オフセット金額を、ダイアログ又はポップアップウィンドウ等に表示するようにしてもよい。
【０１０５】
Ｓ６５：オフセット金額送信手段１５は、記憶装置に予め記憶された検索ツールバーのシリアルナンバー「００１」と、オフセット金額決定手段１３が決定したオフセット金額「０．０６円」と、検索結果表示手段２４が表示した広告に予め関連付けられたユーザＩＤ「００２」とをカーボンオフセット献金サーバ２に送信する。
【０１０６】
Ｓ６６：献金情報記憶手段２５は、検索端末１からシリアルナンバー「００１」とオフセット金額「０．０６円」とユーザＩＤ「００２」とを受信する。そして、献金情報記憶手段２５は、受信したシリアルナンバー「００１」と、オフセット金額「０．０６円」及び当該レコードを追加した日時とをそれぞれ対応付けてオフセット料金管理データベース２５２に記憶する。
【０１０７】
Ｓ６７：献金指示手段２６は、献金情報記憶手段２５が受信したユーザＩＤ「００２」と、献金情報記憶手段２５が受信したオフセット金額「０．０６円」に「−１」を乗じて得た金額「−０．０６円」とを対応付けて料金管理データベース２５１に記憶する。
【０１０８】
Ｓ６８：献金指示手段２６は、所定のタイミングで（例えば、６月毎の１日）、当該期間にオフセット料金管理データベース２５２に記憶されたオフセット金額の小計の総和（例えば、「３００万円」）を計算する。続いて、献金指示手段２６は、所定の基金に計算したオフセット金額の小計の総和「３００万円」を送金する。
【０１０９】
これによると、検索結果とともに表示される広告の広告主から得た料金からオフセット金額に相当する金銭を献金することができる。
［オフセット献金処理３］
【０１１０】
本発明の実施形態に係るオフセット献金処理３は、ユーザ毎に累積オフセット金額等を管理する。ここで、検索端末は、さらに、ユーザＩＤ受付手段を備えている。また、オフセット料金管理データベース２５２は、ユーザＩＤと、前回の検索時刻及び累計オフセット金額とをそれぞれ対応付けて記憶する。図１２は、本発明の実施形態に係るオフセット料金管理データベース２５２を示している。
【０１１１】
Ｓ７１：ユーザＩＤ受付手段は、ウェブブラウザの検索ツールバーのログインボタンがマウスで押下された場合に、この検索ツールバーのテキストボックスにキーボードで入力されたユーザＩＤ「ＸＸＸＸ」を受付けて、このユーザＩＤ「ＸＸＸＸ」を認証サーバ（図示せず）に送信する。そして、ユーザＩＤ受付手段は、認証が成功した旨の結果を認証サーバから受信した場合に、以下の処理に進む。
【０１１２】
Ｓ７２：検索クエリ受付手段１１は、ウェブブラウザの検索ツールバーの検索ボタンがマウスで押下された場合に、この検索ツールバーのテキストボックスにキーボードで入力されたキーワードを含む検索クエリを受付けて、この検索クエリを検索サーバ３に送信する。ここで、検索クエリ受付手段１１は、記憶装置に予め記憶された通信アドレス（ＵＲＬ等）に対応する検索サーバ３に検索クエリを送信する。また、検索クエリ受付手段１１は、検索クエリを受付けた時刻を記憶装置に記憶する。
【０１１３】
Ｓ７３：検索クエリカウント手段１２は、初期時刻「ｔ０」（ｔ０＝検索端末１が起動した時刻）から所定の時間「０．５ｈ」が経過するまでに、記憶装置に記憶された「検索クエリを受付けた時刻」の数をカウントする。ここで、検索端末１が起動した時刻はＡＰＩを通じて取得する。
【０１１４】
Ｓ７４：オフセット金額決定手段１３は、所定の時間「０．５ｈ」と、記憶装置に予め記憶された検索端末１の消費電力「０．１ｋｗ」と、記憶装置に予め記憶された単位電力量あたりの二酸化炭素排出量「０．３３ｋｇ／ｋｗｈ」と、記憶装置に予め記憶された二酸化炭素の単位排出量あたりの排出権費用「３．７５円／ｋｇ」とを乗じて得た金額「０．０６円」をオフセット金額として決定する。
【０１１５】
Ｓ７５：オフセット金額表示手段１４は、検索クエリカウント手段１２がカウントした検索クエリの回数が、記憶装置に予め記憶された所定の閾値以上の場合に、オフセット金額決定手段１３が決定したオフセット金額「０．０６円」を検索ツールバーに表示する。ここで、オフセット金額表示手段１４は、オフセット金額を、ダイアログ又はポップアップウィンドウ等に表示するようにしてもよい。
【０１１６】
Ｓ７６：オフセット金額表示手段１４は、オフセット金額「０．０６円」と、時刻「ｔ１」（ｔ１＝ｔ０＋０．５）とを対応付けて記憶装置に記憶する。また、オフセット金額表示手段１４は、初期時刻「ｔ０」を時刻「ｔ１」に置きかえる。
【０１１７】
Ｓ７７：オフセット金額送信手段１５は、ウェブブラウザの検索ツールバーのログオフボタンがマウスで押下された場合に、初期時刻からログオフボタンが押下された時刻までに記憶装置に記憶されたオフセット金額の小計（例えば、「０．１２円」）を計算する。そして、オフセット金額送信手段１５は、ユーザＩＤ受付手段が受付けたユーザＩＤ「ＸＸＸＸ」と、計算したオフセット金額の小計「０．１２円」と、記憶装置に記憶された「検索クエリを受付けた時刻」のうち最後に記憶されたもの（以下、前回の検索時刻という。）「ｔｎ」とをカーボンオフセット献金サーバ２に送信する。
【０１１８】
Ｓ７８：献金情報記憶手段２５は、検索端末１からユーザＩＤ「ＸＸＸＸ」と、オフセット金額の小計「０．１２円」と、前回の検索時刻「ｔｎ」とを受信する。そして、献金情報記憶手段２５は、オフセット料金管理データベース２５２からユーザＩＤフィールドの値が受信したユーザＩＤ「ＸＸＸＸ」と同一であるレコードを検索する。続いて、献金情報記憶手段２５は、検索条件を満たすレコードにおいて前回の検索時刻フィールドの値を受信した前回の検索時刻「ｔｎ」に書き換える。また、献金情報記憶手段２５は、検索条件を満たすレコードにおいて累積オフセット金額フィールドの値に受信したオフセット金額を加算する。
【０１１９】
Ｓ７９：献金指示手段２６は、所定のタイミングで（例えば、献金受付期間の終了日）、オフセット料金管理データベース２５２に記憶された累計オフセット金額の総和（例えば、「３００万円」）を計算する。そして、献金指示手段２６は、記憶装置に予め記憶された所定の基金に対応するユーザＩＤ「９９９」と、計算したオフセット金額の小計の総和「３００万円」に「−１」を乗じて得た金額「−３００万円」とを対応付けて料金管理データベース２５１に記憶する。続いて、献金指示手段２６は、所定の基金に計算したオフセット金額の小計の総和「３００万円」を送金する。
【０１２０】
これによると、ユーザ毎に累積オフセット金額等を管理することができる。
【０１２１】
以上説明したように、所定の時間に受付けた検索クエリの回数に応じて、カーボンオフセットを行うことにより、検索しようとするインセンティブをユーザに与えるので、検索依頼の増加と環境貢献とを実現することができる。
【０１２２】
以上、本発明の実施形態について説明したが、本発明は上述した実施形態に限るものではない。
【０１２３】
本発明の実施形態に記載された効果は、本発明から生じる最も好適な効果を列挙したに過ぎず、本発明による効果は、本発明の実施例に記載されたものに限定されるものではない。
【図面の簡単な説明】
【０１２４】
【図１】本実施形態に係る検索端末と関連要素の全体構成を示す図である。
【図２】本実施形態に係る検索端末の機能構成の概要を示す図である。
【図３】本実施形態に係るカーボンオフセット献金サーバの機能構成の概要を示す図である。
【図４】料金管理データベースの構成の概要を示す図である。
【図５】オフセット料金管理データベースの構成の概要を示す図である。
【図６】本実施形態に係る検索端末のハードウェア構成を示す図である。
【図７】本発明の実施形態に係るオフセット献金処理１のフローチャートを示している。
【図８】本発明の実施形態に係る二酸化炭素量の表示処理のフローチャートを示している。
【図９】本発明の実施形態に係るオフセット金額の総和の表示処理のフローチャートを示している。
【図１０】本発明の実施形態に係る削減された二酸化炭素量の総和の表示処理のフローチャートを示している。
【図１１】本発明の実施形態に係る通知処理における検索ツールバーを示している。
【図１２】本発明の実施形態に係るオフセット料金管理データベースを示している。
【符号の説明】
【０１２５】
１  検索端末
２  カーボンオフセット献金サーバ
３  検索サーバ
１１  検索クエリ受付手段
１２  検索クエリカウント手段
１３  オフセット金額決定手段
１４  オフセット金額表示手段
１５  オフセット金額送信手段
１６  二酸化炭素量算出手段
１７  二酸化炭素量表示手段
１８  二酸化炭素量送信手段
１９  オフセット金額総和受信手段
２０  オフセット金額総和表示手段
２１  二酸化炭素量総和受信手段
２２  二酸化炭素量総和表示手段
２３  通知手段
２４  検索結果表示手段
２５  献金情報記憶手段
２６  献金指示手段
３１  検索クエリ受信手段
３２  検索実行手段
３３  広告選択手段
３４  検索結果送信手段
２５１  料金管理データベース
２５２  オフセット料金管理データベース
【図１】
2010134631.tif 000003
【図２】
2010134631.tif 000004
【図３】
2010134631.tif 000005
【図４】
2010134631.tif 000006
【図５】
2010134631.tif 000007
【図６】
2010134631.tif 000008
【図７】
2010134631.tif 000009
【図８】
2010134631.tif 000010
【図９】
2010134631.tif 000011
【図１０】
2010134631.tif 000012
【図１１】
2010134631.tif 000013
【図１２】
2010134631.tif 000014